(57)【要約】      （修正有）【課題】使用後のゴム手袋等の洗濯干し用に水切り・乾燥が容易に行える手軽で場所の取らない簡単な用具としての干し掛け用具の提供。【解決手段】ビニール覆い付きの針金をもって、手袋を掛ける手形部分と支柱そして台部分まで１本の同針金でゴム手袋等の干し掛けを製作した。このゴム手袋等の干し掛けに洗ったゴム手袋等を掛けておくことでゴム手袋等の水切り・乾燥が容易に行える、また手軽に使用でき場所も取らない。【選択図】図１
0003114487.tif 000002
【実用新案登録請求の範囲】
【請求項１】
製作したゴム手袋等の干し掛けの用具は、カラービニール覆い付きの針金１本を利用して、ゴム手袋の５本指が掛かるように手形を組み、その針金を下に延ばして支柱として、さらに下に続けて台部分まで針金１本のみで組んだ構造とした。
【請求項２】
ゴム手袋等の干し掛けの用具の針金は、太さは３ｍｍ程度のもので手で多少曲げられる柔軟なもので、しかも支柱・台部分の強度を備えたものである。
ゴム手袋等の干し掛けは製品としては手形指の部分・台の部分は平らとして、使用の際に支柱と台を垂直に曲げて立てて、親指等の指部分も使用する手袋によって形を合わせ曲げて整え使用します。
【考案の詳細な説明】
【技術分野】
【０００１】本考案は、家事等で使用されるゴム手袋等の洗濯干し掛けの用具である。
【背景技術】
【０００２】従来、手袋干し用具は必要であるにも拘わらずその専用具はあまり使用されていないようである、それは使用に当たってそんなに手軽な製品でなかったためかと思われます。
【考案の開示】
0003114487.tif 000003
【考案が解決しようとする課題】
【０００３】本考案のゴム手袋等の干し掛けは、家事等での使用後に風呂場・洗面所等に置いて干せる、軽くて手軽に使用でき場所をとらない、しかも風通しがよくて衛生的である。
【課題を解決するための手段】
【０００４】本考案のゴム手袋等の干し掛けは、図面のとおり１本の針金によって▲１▼手袋を掛ける手形部分と▲２▼支柱部分そして▲３▼その台部分まで作成しております。
針金の材質は、カラーのビニール覆い付きで、太さは直径３ｍｍ程度のもの、手で多少曲げることのできて弾力性のあるものを利用します。
【考案の効果】
【０００５】本考案のゴム手袋等の干し掛けは、図面のとおり構造が簡単で軽いため手軽に使用できる、風呂場・洗面所等においても場所を取らないので干せます、ビニール針金のため風通しもよく衛生的である。
又本考案は、簡単な構造材質であるから製品として低廉量産が可能です。
【考案を実施するための最良の形態】
【０００６】本考案のゴム手袋等の干し掛けは、針金の弾力性と柔軟性があるので、使用する手袋の形や大きさに合わせることができます。
ゴム手袋等の干し掛けの各指の部分は、使用する手袋の各指の位置や形に合わせます。
例えば、親指は人差し指の前の位置にありますからゴム手袋等の干し掛けの親指はその人差し指の前の位置へ動かして揃えます、その他小指等でも同様に動かして揃えます
使用する手袋の形にすることで風の通りが一層よくて乾き易くなります。
【実施例】
【０００７】本考案のゴム手袋等の干し掛けは、まず台から支柱を垂直に立てて手袋を掛けてもしっかり立つように調整します。
次に掛ける手袋の手形に合わせて針金の親指等を動かして調整しま針金の弾力性柔軟性があり手袋の大小に合わせ易く、また指の中は針金により広げることができ風通しよく乾きが早くなります。
【産業上の利用可能性】
【０００８】現在のところ考えておりません。
【図面の簡単な説明】
【０００９】
【図１】本考案の正面図  図面の図１は右手用であるが、左手の場合は反対にして使用する。カラービニール覆い付きの針金は、符号１の親指部分を渦巻きからはじまり符号５の小指部分へ延びて、符号５の小指部分から符号２の人差し指部分の各指形を組み、そして符号２の人差し指部分から下の支柱部分を作り、符号７の台を二重に丸く作り針金の末尾は渦巻き状態にして台の一部として終ります。
【符号の説明】
【００１０】１  手袋の親指の挿入部
２  手袋の人差し指の挿入部
３  手袋の中指の挿入部
４  手袋の薬指の挿入部
５  手袋の小指の挿入部
６  同上干し掛けの支柱部分
７  同上干し掛けの台部分
【図１】
0003114487.tif 000004
【手続補正書】
【提出日】平成16年12月11日(2004.12.11)
【手続補正１】
【補正対象書類名】実用新案登録請求の範囲
【補正対象項目名】全文
【補正方法】変更
【補正の内容】
【実用新案登録請求の範囲】
【請求項１】
製作したゴム手袋等の干し掛けの用具は、１本のカラーワイヤー（請求項２）を利用して、ゴム手袋の５本指が掛かるように手形を組み、そのカラーワイヤーを下に延ばして支柱として、さらに下に続けて台部分までで組んだカラーワイヤー１本のみの構造とした。
【請求項２】
ゴム手袋等の干し掛けの用具のカラーワイヤーは、ビニールの被膜付きのため水に強い。ワイヤーの太さは３．２ｍｍ程度（番手♯１０）のもので、手で曲げられる柔軟なものでかつ支柱及び台の部分を支える強度のあるものである。
ゴム手袋等の干し掛けは製品としては手形指の部分・台の部分は平らとして、使用の際に支柱と台を垂直に曲げて立てて、親指等の指部分も使用する手袋によって形を合わせ曲げて整え使用します。
【手続補正２】
【補正対象書類名】明細書
【補正対象項目名】全文
【補正方法】変更
【補正の内容】
【考案の詳細な説明】
【技術分野】
【０００１】本考案は、家事等で使用されるゴム手袋等の洗濯干し掛けの用具である。
【背景技術】
【０００２】従来、手袋干し用具は必要であるにも拘わらずその専用具はあまり使用されていないようである、それは使用に当たってそんなに手軽な製品でなかったためかと思われます。
【考案の開示】
0003114487.tif 000005
【考案が解決しようとする課題】
【０００３】本考案のゴム手袋等の干し掛けは、家事等での使用後に風呂場・洗面所等に置いて干せる、軽くて手軽に使用でき場所をとらない、しかも風通しがよくて衛生的である。
【課題を解決するための手段】
【０００４】本考案のゴム手袋等の干し掛けは、図面のとおり１本のカラーワイヤーによって▲１▼手袋を掛ける手形部分と▲２▼支柱部分そして▲３▼その台部分まで作成しております。
カラーワイヤーは、カラーのビニール皮膜付きで、太さは直径３．２ｍｍ程度（番手♯１０）のもの、手で多少曲げることのできて弾力性のあるものを利用します。
【考案の効果】
【０００５】本考案のゴム手袋等の干し掛けは、図面のとおり構造が簡単で軽いため手軽に使用できる、風呂場・洗面所等においても場所を取らないので干せます、カラーワイヤーのため風通しもよく衛生的である。
又本考案は、簡単な構造材質であるから製品として低廉量産が可能です。
【考案を実施するための最良の形態】
【０００６】本考案のゴム手袋等の干し掛けは、カラーワイヤーの弾力性と柔軟性があるので、使用する手袋の形や大きさに合わせることができます。
ゴム手袋等の干し掛けの各指の部分は、使用する手袋の各指の位置や形に合わせます。
例えば、親指は人差し指の前の位置にありますからゴム手袋等の干し掛けの親指はその人差し指の前の位置へ動かして揃えます、その他小指等でも同様に動かして揃えます
使用する手袋の形にすることで風の通りが一層よくて乾き易くなります。
【実施例】
【０００７】本考案のゴム手袋等の干し掛けは、まず台から支柱を垂直に立てて手袋を掛けてもしっかり立つように調整します。
次に掛ける手袋の手形に合わせてワイヤーの親指等を動かして調整します。
ワイヤーの弾力性柔軟性があり手袋の大小に合わせ易く、また指の中はワイヤーにより広げることができ風通しよく乾きが早くなります。
【産業上の利用可能性】
【０００８】現在のところ考えておりません。
【図面の簡単な説明】
【０００９】
【図１】  本考案の正面図  図面の図１は右手用であるが、左手の場合は反対にして使用する。カラーワイヤーは、符号１の親指部分の渦巻きからはじまり符号５の小指部分へ延びて、符号５の小指部分から符号２の人差し指部分の各指形を組み、そして符号２の人差し指部分から下の支柱部分を作り、符号７の台部分へ支柱からのワイヤーで形作ります。手形を安定させるために手首部分（符号１の親指〜符号５の小指間のワイヤーと符号２の人差し指〜符号６の支柱間のワイヤーの交差点部分）は、図１のとおり符号１の親指〜符号５の小指間のワイヤーで符号６の支柱のワイヤーを巻き付けます。符号７の台の形は、図１ではワイヤーを二重に丸く渦巻き状にしたもの、図２ではメガネ形・ハート形・スペード形の３種類の安定したものを考案しております。
【図２】  本考案の台部分の形図面（３種類）台部分の形は、図１ではワイヤーを二重に丸く渦巻き状にしたもの、図２ではメガネ形・ハート形・スペード形の３種類を考案しております。
【符号の説明】
【００１０】  １  手袋の親指の挿入部
２  手袋の人差し指の挿入部
３  手袋の中指の挿入部
４  手袋の薬指の挿入部
５  手袋の小指の挿入部
６  同上干し掛けの支柱部分
７  同上干し掛けの台部分
【手続補正３】
【補正対象書類名】図面
【補正対象項目名】全図
【補正方法】変更
【補正の内容】
【図１】
0003114487.tif 000006
【図２】
0003114487.tif 000007
【手続補正書】
【提出日】平成17年1月21日(2005.1.21)
【手続補正１】
【補正対象書類名】実用新案登録請求の範囲
【補正対象項目名】全文
【補正方法】変更
【補正の内容】
【実用新案登録請求の範囲】
【請求項１】
カラーワイヤーで「ゴム手袋等の干し掛け」用具を作る。
まず、ゴム手袋等の５本指が掛かるようにカラーワイヤーにより５本指の手形を作る、その順序は親指の形取りから始まり順次掌の形下部分へそして小指へ続いて薬指・中指・人差し指をそのワイヤーにてそれぞれの指の形を組み掌部分を含めて全体で手形になるようにする。
人差し指形からのワイヤーは手首部分へ延ばして手形を象り、下に続けて支柱部分を作る。
手形を安定させるために手首部分は、親指と小指間のワイヤーを人差し指からの支柱のワイヤーに１回巻き付ける。
手首部分から最下部の台の間のワイヤーは、支柱とし相当の長さを取る。
最下部の台部分の形は、台を平面に安定させるためワイヤーは水平にし二重の渦巻き状にする。
台の形は、ワイヤー二重の渦巻き型を基調として、二重丸形・メガネ形・ハート形・スペード形等の安定した形に作る。
以上  手形・支柱・台部分の全体構造が全てカラーワイヤー１本で作る「ゴム手袋等の干し掛け」用具である。
【請求項２】
使用するカラーワイヤーは、ビニールの被膜付きで水に強く、その太さは３．２ｍｍ程度（番手＃１０）で手でも少し曲げられる柔軟性のあるもの、かつ支柱及び台部分に耐えられる強度があるもので作る「ゴム手袋等の干し掛け」用具である。
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
１本のカラーワイヤーをゴム手袋の５本指が掛かるように手形を組み、そのカラーワイヤーを下にのばして支柱とし、さらに下に続けて台部分まで組んだことを特徴とする、１本のカラーワイヤーを用いて作製したゴム手袋等の干し掛け用具。
【請求項２】
上記カラーワイヤーの針金の太さが３ｍｍ程度であることを特徴する、請求項１に記載されたゴム手袋等の干し掛け用具。